Podtech/llm-jp-corpus-v4-ja_patent huggingface dataset:
(57)【要約】      （修正有）【課題】内管内を高温な排ガスが流通し、内管と外管との間を水が流通し、排ガスから熱回収するための燃料電池システム用に適合した安価で熱効率の高い熱交換器を提案する。【解決手段】内管１の一端から排ガスが流入し、薄板をネジリ加工して形成したネジリ板４による穏やかな旋回流を生じて内管１内を流通し、内管１の他端から流出する。一方、入口管６から外管２内へ水が流入し、仕切板５による蛇行流を生じて内管１と外管２との間を流通し、内管１内を流通する排ガスと熱交換し、熱回収して出口管７から流出する。かかる排ガスから熱回収するための熱交換器において、排ガスの冷却による凝縮水が生じるが、この２重管式熱交換器を垂直又は傾斜させて設置することで、ネジリ板４により凝縮水を速やかに排出することができる。【選択図】図１
0003156355.tif 000002
【実用新案登録請求の範囲】
【請求項１】
外管２内に内管１を挿通し、内管１内を流通する流体と、内管１と外管２との間を流通する流体との間で熱交換を行う２重管式熱交換器において、
内管１の内周面に密接するコイル３と、このコイル３の筒内に挿入したネジリ板４とを内管１内に設けたことを特徴とする２重管式熱交換器。
【請求項２】
内管１の挿通孔５ａを有する円輪板の一側部に切欠部５ｂを設けた仕切板５を形成し、この仕切板５を外周を外管２の内周面に当接し、切欠部５ｂの向きを変えて適宜の間隔で外管２内に配置した請求項１に記載の２重管式熱交換器。
【請求項３】
内管１内を排ガスが流通し、内管１と外管２との間を水が流通する燃料電池システム用の熱交換器である請求項１又は２に記載の２重管式熱交換器。
【考案の詳細な説明】
【技術分野】
【０００１】
この考案は、外管内に内管を挿通し、内管内を流通する流体と、内管と外管との間を流通する流体との間で熱交換を行う２重管式熱交換器に関するものである。
【背景技術】
【０００２】
２種類の流体間で熱交換を行う熱交換器として、径が異なる２本の管（内管、外管）を用い、外管内に内管を挿通した２重管式熱交換器がある。これは、内管内を高温な一次側加熱流体が流通し、内管と外管との間を二次側被加熱流体が流通（又はその逆）して熱交換を行うものである。
【０００３】
かかる２重管式熱交換器において、所定の能力を得るには極めて長尺となるため、内管にネジリ管、つぶし管等を用いて熱効率の向上を図ったものがある。しかし、こうした内管の加工には大掛かりの設備を要して製作コストが高価となり、所定の性能を伴う２重管式熱交換器の低廉化が困難であった。また、燃料電池システム用の熱交換器として、排ガスからの熱回収、排ガスの冷却、ガス再生のための熱交換器として用いる場合、排ガスの流通抵抗（圧力損失）を抑えるとともに伝熱面積の増大を図り、小型で熱効率に優れた構造が求められている。
【考案の概要】
【考案が解決しようとする課題】
【０００４】
この考案は、簡単に製作可能で製作コストが安価であるとともに、熱効率に優れて小型に製作され、特に内管内を高温な排ガスが流通し、内管と外管との間を水が流通し、排ガスから熱回収するための燃料電池システム用に適合した熱交換器を提案するものである。
【課題を解決するための手段】
【０００５】
こうした目的を達成するため、この考案は、外管２内に内管１を挿通し、内管１内を流通する流体と、内管１と外管２との間を流通する流体との間で熱交換を行う２重管式熱交換器において、内管１の内周面に密接するコイル３と、このコイル３の筒内に挿入したネジリ板４とを内管１内に設けたことを特徴とするものである。
【０００６】
また、内管１の挿通孔５ａを有する円輪板の一側部に切欠部５ｂを設けた仕切板５を形成し、この仕切板５を外周を外管２の内周面に当接し、切欠部５ｂの向きを変えて適宜の間隔で外管２内に配置するものである。
【０００７】
そして、この考案の２重管式熱交換器は、内管１内を排ガスが流通し、内管１と外管２との間を水が流通する燃料電池システム用の熱交換器に適用するものである。
【考案の効果】
【０００８】
この考案の２重管式熱交換器は、内管１の内周面に密接するコイル３を設けることで、伝熱面積の増大を図るとともに、このコイル３の筒内にネジリ板４を挿入することで、内管１内を流通する流体を穏やかな旋回流とし、圧力損失を抑えながら伝熱促進効果を奏し、熱効率に優れて小型に製作することができる。また、内管１内にコイル３及びネジリ板４を挿入する構造であるから、内管１に特別な加工を必要とせず、簡単に製作可能で製作コストが安価である。
【０００９】
また、切欠部５ｂの向きを変えて外管２内に仕切板５を適宜の間隔で配置することで、内管１と外管２との間を流通する流体を蛇行流や旋回流とし、更なる伝熱促進効果により熱効率の向上を図ることができる。
【図面の簡単な説明】
【００１０】
【図１】この考案の実施例の一部を破断した正面図。
【図２】仕切板５の平面図。
【考案を実施するための形態】
【００１１】
以下に、この考案を実施するための最良の形態について、図示の実施例によって具体的に説明する。
図面の２重管式熱交換器は、径が異なる２本の管（内管１、外管２）を用い、外管２内に内管１を挿通し、内管１内を排ガスが流通し、内管１と外管２との間を水が流通し、排ガスから熱回収するための燃料電池システム用の熱交換器である。
【００１２】
内管１の内周面に密接するコイル３が内管１内に挿入され、ろう付けして内管１に接合され、さらに、薄板をネジリ加工して形成したネジリ板４がコイル３の全長に亘って筒内に挿入されている。内管１が貫通する挿通孔５ａを設けた円輪板の一側部を切り欠いて切欠部５ｂを設けた仕切板５が形成され、この仕切板５が外周を外管２の内周面に当接し、切欠部５ｂの位置が交互に反対側となるように向きを変えて適宜の間隔で外管２内に配置されている。
【００１３】
外管２の側壁の一端に入口管６、他端に出口管７が接合され、外管２の開口端は蓋体８で閉塞され、入口管６から出口管７へ至る流通路が形成されている。内管１は外管２内に挿通されて蓋体８を貫通し、両管端を外管２外に導出し、一方の開口端から他方の開口端へ至る直線状の流通路が形成されている。
【００１４】
この２重管式熱交換器を燃料電池システム用の熱交換器として用い、内管１の一端から排ガスが流入し、ネジリ板４による穏やかな旋回流を生じて内管１内を流通し、内管１の他端から流出する（図１中、白抜き矢印）。一方、入口管６から外管２内へ水が流入し、仕切板５による蛇行流を生じて内管１と外管２との間を流通し、内管１内を流通する排ガスと熱交換し、熱回収して出口管７から流出する（図１中、実線矢印）。かかる排ガスから熱回収するための熱交換器において、排ガスの冷却による凝縮水が生じるが、この２重管式熱交換器を垂直又は傾斜させて設置することで、ネジリ板４により凝縮水を速やかに排出することができる。
【符号の説明】
【００１５】
１  内管
２  外管
３  コイル
４  ネジリ板
５  仕切板
５ａ  挿通孔
５ｂ  切欠部
【図１】
0003156355.tif 000003
【図２】
0003156355.tif 000004
(57)【要約】      （修正有） 【課題】バッグは、市民の環境に対する意識向上により、買い物としての利用が増えている。今後、より一層利用者が拡大し、一般廃棄物の減少や地球温暖化防止対策に寄与する為にも、使用が容易で、外見から購入商品を見えにくくすると共に購入商品であることを判断できるバッグを提供する。【解決手段】外見から購入商品を見えないように位置調整ふたをバッグ上部に配置することで、購入商品の量により面ファスナー４，５で固定できるため、商品を電車などに乗って持ち帰り、バッグを実利用できる利便性の高いものとした。【選択図】図１
0003156368.tif 000002
【実用新案登録請求の範囲】
【請求項１】
生地又はフィルムを利用した袋を本体とするバッグであって、バッグの収納部は直方体又は立方体を成し、バッグの出し入れ部を開口させ、その開口した両側面それぞれの上部にバッグの横幅と略同じ長さと両側面併せバッグのマチの長さと略同じとする位置調整ふたを設け、一方のふた一面には面ファスナーを縦方向に設け、他のふたには前記ふたの一面と逆の面に横方向に前記面ファスナーの相手となる面ファスナーを設けたことを特徴とするバッグ
【考案の詳細な説明】
【技術分野】
【０００１】
本考案は、利便性向上を図ったバッグに関する。
【背景技術】
【０００２】
提供されているバッグには、バッグ上部にナイロンなどの素材を上部に配置し、紐で縛ることによりバッグ内部が見えないようにすると共に持ち運びを容易にすることができるバッグがある。しかし、素材が柔らかいものが多く、実際に使用する場合、バッグが形状をなさず、買い物商品を入れる際入れが容易でないものが多い。また、ファスナーによりバッグ上部にふたを配置するものがあるが、収納量が増えた場合、その量の変化に対応できていない。
【考案の概要】
【考案が解決しようとする課題】
【０００３】
バッグは、消費者の環境意識向上により、買い物での利用が拡大している。利用者が、反復利用するため、商品を安全に持ち運ぶ機能と持ち運びが楽になる機能を持つ必要がある。本考案により、購入したものをバッグに入れた場合、面ファスナーで位置調整ふたの位置が移動できるため、買い物の量により上部位置が変化できる。購入者は、何を購入したのか他人に見られたくないとゆう心理とを解決し、スーパーなどの販売者は、バッグの両側面より購入商品の一部を見ることを可能としたため、購入商品を目視で確認できることにより消費者の利用しやすい形とした。
【課題を解決するための手段】
【０００４】
本考案の第１は、生地又はフィルムを利用した袋を本体とするバッグに、本体の内側上部に生地又はフィルムを利用した位置調製ふたを配置し縫製を行う。バッグ上部には、横幅と略同じ長さと両側面併せバッグのマチの長さと略同じとする位置調整ふたを設け、一方のふた一面には面ファスナーを縦方向に設け、他のふたには前記ふたの一面と逆の面に横方向に前記面ファスナーの相手となる面ファスナーを面ファスナーの縫製を行うことにより、最良な効果をあげることができる。
【考案の効果】
【０００５】
本考案の位置調整ふたを配置することで、購入者が購入商品を他人に見られることを軽減し、販売者が容易に購入商品であることを確認できる。上記のバッグは、毎日の実利用に使用できるため一般廃棄物やレジ袋の減少及び市民の環境意識向上に大きく寄与できるものとして期待される。
【図面の簡単な説明】
【０００６】
【図１】位置調整ふたつき買い物バッグを開口した斜視図
【図２】位置調整ふたつき買い物バッグの側面図
【図３】バッグの寸法を表示する平面図
【考案を実施するための形態】
【０００７】
本体と上部ふたを同じ素材で構成した位置調整ふたつき買い物バッグ、本体と上部ふたを異なる素材で構成した位置調整ふたつき買い物バッグ
【実施例】
【０００８】
本体と上部ふたを同じ素材で構成した位置調整ふたつき買い物バッグ（図１により表示する）、本体と上部ふたを異なる素材で構成した位置調整ふたつき買い物バッグ、バッグの寸法としては、横２０〜４０ｃｍ、高さ２０〜４０ｃｍ、マチ１０〜３０ｃｍが望まれ、内容物の変化で面ファスナーの位置は変化できる。面ファスナーの長さとしては、５〜１５ｃｍを（図２に表示する）、面ファスナーをオスメスを直角に使用すると効果が得られる。
【産業上の利用可能性】
【０００９】
バッグの製造業界において利用できる。
【符号の説明】
【００１０】
１  バッグ本体
２  位置調整ふた１
３  位置調整ふた２
４  面ファスナー１
５  面ファスナー２
６  バッグのもちて
７  バッグ寸法  横
８  バッグ寸法  高さ
９  バッグ寸法  マチ
【図１】
0003156368.tif 000003
【図２】
0003156368.tif 000004
【図３】
0003156368.tif 000005
(57)【要約】      （修正有）【課題】表札本体取り潰すことなく容易に取替え交換できる表札を提供する。【解決手段】折り曲げられた基板が設置面に固定され、そのネジ部をもって表札表示板本体を固定する。基板をクランク型に曲げることにより、ネジの突出部が設置面と接触しないで固定できる。【選択図】図１
0003156367.tif 000002
【実用新案登録請求の範囲】
【請求項１】
基板を折り曲げて一部分壁面と乖離することにより、ネジの突出を可能にし、表示板本体をネジを用いて前記基板と着脱できることを特徴とする交換可能な表札。
【請求項２】
基板面にネジ穴を設ける、或るいはカシメナットを利用することで一般ネジを着脱に利用できることを特徴とする請求項１に記載の交換可能な表札。
【請求項３】
背面や側面でなく、表示板正面よりネジ式で着脱できるため、差し替えが容易なことを特徴とする請求項１または請求項２のいずれか１項に記載の交換可能表札。
【考案の詳細な説明】
【技術分野】
【０００１】
本考案は、玄関や門柱に設置する表札に係わり、更に詳しくは簡単に取替え可能な表札に関する。
【背景技術】
【０００２】
従来、表札を取り付けるには、玄関、門柱、壁面に表札の裏面を利用して、接着材やネジで本体ともに固定する方法が通常採用されている。
【考案の概要】
【考案が解決しようとする課題】
【０００３】
従来強固に設置する必要から取替え不可能と考えられてきた表札を、季節や生活環境の変化などに応じて、表札本体取り潰すことなく容易に取替え交換できる表札を提供することである。
【課題を解決するための手段】
【０００４】
折り曲げられた基板が設置面に固定され、そのネジ部をもって表札表示板本体を固定することを特徴とします。
【０００５】
上記にあります基板をクランク型に曲げることにより、ネジの突出部が設置面と接触しないで固定できることを特徴とします。
【考案の効果】
【０００６】
使用者が数点の表札を、季節、イベント、好みの変化などに応じて差し替えすることができる、
【０００７】
家族が増える、住居表示が変わるなどの生活環境変化に対応し表示部の書き換えや新規差し替えが容易にできる。
【０００８】
表示部のヨゴレや傷みにもケアのための取り外しが容易である。
【図面の簡単な説明】
【０００９】
【図１】（Ａ）は本考案表札の実施例を示す正面図、（Ｂ）は（Ａ）のａ−ａ断面図である。
【図２】同表札の取り付け前を示した図。
【図３】同表札の取り付けを示した図。
【考案を実施するための形態】
【００１０】
本考案の実施例を図面に基いて説明する。図1（A）（B）は本考案の表示を示した
ものである。金属または樹脂製の支持する基板1は両端が2回折り曲げられてネジ
穴5が設けられている。この基板1に表示板3がネジ2によって取り付けられてい
る。基板をクランク型に曲げることにより、ネジの突出部が設置面と接触しないで
固定できます。また設けていますダルマ状の引っ掛け穴4はネジやフックでの取り
付けも容易にしています、
基板1の設置面側になります背面は、広く平らで接着剤の塗布面積を大きくしてい
ますので接着剤でも簡単に取り付けできます。
【００１１】
図2は設置の工程図です。まず基板1を設置面6にネジや接着剤で固定します。次
に表示板3をネジ2を利用して取り付け固定します。
【００１２】
図3は設置完了図です。基板1を保持することによりネジ2を利用して正面より簡単
に交換可能になります。
【００１３】
基盤をステンレス製などにすることにより長期に亘り使用できる。
【符号の説明】
【００１４】
１  基板
２  取り付けネジ
３  表示板
４  引っ掛け穴
５  ネジ穴
６  設置面
【図１】
0003156367.tif 000003
【図２】
0003156367.tif 000004
【図３】
0003156367.tif 000005
(57)【要約】      （修正有） 【課題】購入後の雨が降った場合や購入場所で濡れていた場合でも、液体が付着しにくく、また容易に液体をふき取ることができ、常時清潔な状態で利用することができるバッグを提供する。【解決手段】両面撥水又は防水生地をバッグの外側と内側の両面に配置することで、雨や購入商品から出る液体を弾き、容易な取扱とするとともに、保持部材により持ち運びの強度は向上し、バッグを実利用できる利便性の高いものとした。【選択図】図１
0003156369.tif 000002
【実用新案登録請求の範囲】
【請求項１】
表面に撥水又は防水加工を施した生地又はフィルム２枚を、バッグの外側と内側に撥水又は防水加工を施した面を利用できるように配置した袋を本体とするバッグであって、バッグの収納部は直方体又は立方体を成すことにより、両面撥水機能を有すること特徴とするバッグ
【請求項２】
もち手部分を撥水又は防水加工を行った生地又はフィルムを縫製により保持部材を設けたことを特徴とする請求項１記載のバッグ
【考案の詳細な説明】
【技術分野】
【０００１】
本考案は、利便性向上を図ったバッグに関する。
【背景技術】
【０００２】
提供されているバッグには、バッグ本体にナイロンなどの素材を１枚配置し、買い物などの利用主たる目的とするバッグがある。しかし、素材に撥水加工や防水加工を行う場合は少なく、また、内側面に撥水又は防水加工がないため購入商品から水が流れ出てバッグ内部が汚れたままになる場合が多い。また、バッグもち手上部の手で持つ部分は、補強加工が行われていない場合が多く、実際に使うと手のひら又は肩にもちてが食い込み持ち運びに苦慮する場合が多くあった。
【考案の概要】
【考案が解決しようとする課題】
【０００３】
バッグは、消費者の環境意識向上により、買い物での利用が拡大している。利用者が、反復利用するため、商品を安全に持ち運ぶ機能と持ち運びが楽になる機能を持つ必要がある。本考案により、購入したものをバッグに入れた場合、表面と内側面で撥水又は防水河口を行うため、購入後の雨が降った場合や購入場所で濡れていた場合でも、液体が付着しにくく、また容易に液体をふき取ることができ、バッグを常時清潔な状態で利用することができる。また、バッグ素材に撥水又は防水加工を施した生地又はフィルムの素材を利用した場合、通常の素材に比べ強度が不足する場合もあるので、バッグもちてを半分に折り、手の当たる部分に生地又はフィルムなどを使用した補強を行うことでバッグを利便性の高いものとした。
【課題を解決するための手段】
【０００４】
本考案の第１は、表面に撥水又は防水加工を生地又はフィルム２枚を、バッグの外側と内側に撥水又は防水加工を行った面を利用できるように配置した袋を本体とするバッグであって、バッグの収納部は直方体又は立方体を成すことにより、両面撥水機能を特徴とするバッグで最良な効果をあげることができる。
本考案の第２は、第１の考案に加え、撥水又は防水加工を行った生地又はフィルムによる保持部材をもち手部分に周回させ縫製することで、最良な効果を挙げることができる。
【考案の効果】
【０００５】
本考案の両面撥水又は防水加工生地を配置することで、購入後の雨が降った場合や購入場所で濡れていた場合でも、液体が付着しにくく、また容易に液体をふき取ることができ、バッグを常時清潔な状態で利用することができる。強度不足を補完するためバッグもちてを半分に折り、手の当たる部分に生地又はフィルムなどを使用した保持部材を縫製することでバッグを利便性の高いものとした。上記のバッグは、毎日の実利用に使用できるため一般廃棄物やレジ袋の減少及び市民の環境意識向上に大きく寄与できるものとして期待される。
【図面の簡単な説明】
【０００６】
【図１】両面撥水生地を使用し保持部材を取り付けた買い物バッグ平面図
【図２】保持部材の平面図
【図３】バッグの寸法を表示する平面図
【考案を実施するための形態】
【０００７】
表面と内側面で同じ素材で構成した買い物バッグもちてカバー付
【実施例】
【０００８】
両面に撥水生地を使用し保持部材を取り付けた買い物バッグ（図１により表示する）、バッグの寸法としては、横２０〜４０ｃｍ、高さ２０〜５０ｃｍ、マチ１０〜３０ｃｍが望まれる。表面に撥水又は防水加工を施した生地又はフィルムの一面と撥水又は防水加工をしたものであって、該加工面が外側になるように２枚を重ねることによって、バッグとした場合に撥水又は防水をした面が、バッグの外側に現れることになる。バッグは、買い物用バッグやトートバッグのいずれも適用できる。バッグ本体のもち手上部部分を幅の半分の太さにした状態で縫製し、保持部材は、撥水又は防水加工を行った生地又はフィルムをその上に周回する形で設置し、縫製により固定する（図２により表示する）。
【産業上の利用可能性】
【０００９】
バッグの製造業界において利用できる。
【符号の説明】
【００１０】
１  バッグ表面
２  バッグ内側面
３  保持部材
４  バッグのもちて
５  バッグ寸法  横
６  バッグ寸法  高さ
７  バッグ寸法  マチ
Ａ  縫製により固定
【図１】
0003156369.tif 000003
【図２】
0003156369.tif 000004
【図３】
0003156369.tif 000005
(57)【要約】      （修正有）【課題】箸を把持した手指が先端側へ移動しにくくなるように箸の把持部に緩やかな傾斜面となる凹凸部を形成した箸を提供する。【解決手段】箸１の先端側から上方側にわたり第１小膨出部２を形成し、箸の上方側にも同様に上端側から下方側にわたり第２小膨出部３を形成し、該第１小膨出部の上部側及び第２小膨出部の下部側の溝部間に、上部側溝部５から下部側溝部４にわたり漸次膨出する膨出部６を形成し、該膨出部６の頂部を両者間の下部側溝部４位置から１／３〜１／４の位置に設けて箸を構成する。【選択図】図１
0003156378.tif 000002
【実用新案登録請求の範囲】
【請求項１】
箸の先端側から上方側にわたり第１小膨出部を形成し、箸の上方側にも同様に上端側から下方側にわたり第２小膨出部を形成し、該第１小膨出部の上部側及び第２小膨出部の下部側の溝部間に、上部側溝部から下部側溝部にわたり漸次膨出する膨出部を形成し、該膨出部の頂部を両者間の下部側溝部位置から１／３〜１／４の位置に設けたことを特徴とする箸。
【考案の詳細な説明】
【技術分野】
【０００１】
本考案は、箸を把持するとき、親指、人差し指或いは中指等の手指と箸とがフィットし、把持した箇所がずれることなく持ち易い形状としたことを特徴とする箸に関するものである。
【背景技術】
【０００２】
箸は、竹・柳・杉・檜・萩・栗・桑・槐・紫檀・黒檀等の木材の他、金・銀・銅・鉄・アルミニウム等の金属、象牙等の動物の骨角、或いは合成樹脂等の様々な材料によって形成されている。長さは、その使用者や使用目的により適宜なものが採用されているが、通常２１ｃｍ（７寸）から３６ｃｍ（１尺２寸）等の各種のものが使用されている。また、その形状は、丸形・角形・太形・細形・先細形・平形等の様々なものがあるが、それらのものは先端側へ向かって漸次細くなる形状のもので、箸の材質や表面の仕上げ状態によっては把持した箇所が滑り易いものであった。
【０００３】
そのために、下記する文献のように、手指の滑りを防止するために把持部に独立した多数の凸部を形成して滑り止め加工しているものがある。
【先行技術文献】
【特許文献】
【０００４】
【特許文献１】特開平６−９０８４５号公報
【考案の概要】
【考案が解決しようとする課題】
【０００５】
既存の箸は、日本国ばかりでなく、韓国或いは中国においても広く使用されており、その形状はほとんど同じようなものとなっている。しかし、近年、外国において自国以外の様々な食ベ物を口にする機会が増えている。それに伴い、これからの箸は、伝統的な形状を保持しつつ、食べ物の種類や箸の材質等により従来の形状とは異なるものが求められている。
【０００６】
また、上記箸の断面形状は、円形状或いは四角形状のものが一般的で、それらの形状のものは上方部から下方部に向けてその形状のまま漸次細くなるものであった。従って、手指で把持する部分も円形状或いは四角形状で且つ先端側が細く形成されているので材質や箸表面の仕上げ状態によっては把持部となる手指が下方側へずれるおそれがあり、適切な位置での固定状態が持続できないおそれがあった。
【０００７】
本考案は、上記欠点を解決したもので、箸を把持した手指が先端側へ移動しにくくなるように箸の把持部に緩やかな傾斜面となる凹凸部を形成したものである。
【課題を解決するための手段】
【０００８】
本考案は、箸の先端側から上方側にわたり第１小膨出部を形成し、箸の上方側にも同様に上端側から下方側にわたり第２小膨出部を形成し、該第１小膨出部の上部側及び第２小膨出部の下部側の溝部間に、上部側溝部から下部側溝部にわたり漸次膨出する膨出部を形成し、該膨出部の頂部を両者間の下部側溝部位置から１／３〜１／４の位置に設けた箸を特徴とする。
【考案の効果】
【０００９】
本考案の箸は、上下に各々小膨出部を形成し、その小膨出部間にやや大きめの膨出部を形成することにより食べ物を掴み易くすると同時に、箸を把持した手指が滑りにくくなるようにしたもので、箸とそれを把持した手指との一体感が得られることが可能となった。
【図面の簡単な説明】
【００１０】
【図１】本考案の箸の側面図。
【図２】本考案の箸を把持している状態の斜視図。
【考案を実施するための形態】
【００１１】
以下、図面を参考に本考案の実施例を説明する。
【実施例１】
【００１２】
実施例１は、図１に示すように、先端側を細くした箸１で、該先端側に近接した位置に該先端側から上方側にわたり緩やかな傾斜面を有する第１小膨出部２を形成し、他方、箸の上方側にも同様に上端側から下方側にわたり緩やかな傾斜面を有する第２小膨出部３を形成し、該第１小膨出部２の上方位置にある下部側溝部４及び第２小膨出部３の下方位置にある上部側溝部５間に、該上部側溝部５から下部側溝部４にわたり漸次膨出する膨出部６を形成し、該膨出部６の頂部を両者間の下部側溝部４の位置から１／３〜１／４の位置に設けている。
【００１３】
上記箸１を把持する場合は、図２に示すように、２本の箸１、１の上方側の第２小膨出部３の下端に位置する上部側溝部５に人差し指のほぼ第三関節が位置するようにし、下方側小膨出部２の下部側溝部４から漸次立ち上がった膨出部６に人差し指の先端部が位置するようにし、親指の内側により膨出部６の傾斜面を押圧することにより箸１を把持することになる。これにより把持部から手指が滑ることなく箸１を手指にフィットした状態で強固に把持することが可能となる。箸と手指の一体感を得ることが可能となる。
【００１４】
また、下方側小膨出部２は、食ベ物を掴み易く、更に、必要に応じて上方側の小膨出部３を利用して他の食ベ物を掴むことも可能である。
【符号の説明】
【００１５】
１            箸
２            第１小膨出部
３            第２小膨出部
４            下部側溝部
５            上部側溝部
６            膨出部
【図１】
0003156378.tif 000003
【図２】
0003156378.tif 000004
(57)【要約】      （修正有）【課題】把持し易く、食ベ物を掴み易くするために箸の先端側の形状を三角柱形状として鋭角状の突起を生じさせて食べ物に食い込むようにした箸を提供する。【解決手段】先端側を細くした箸１で、その先端部２の所定長を断面三角形状となるほぼ三角柱形状としたものである。断面三角形状としては、正三角形、二等辺三角形或いは不等辺三角形等の様々な形状が考えられる。箸１の全体の形状は、上記した先端部２となる食べ物を掴む機能の他に、手指による把持部３となる把持機能とを有している。さらに、把持部３の断面形状は、断面円形状、楕円形状或いは四角形以上の多角形形状とし、必要により手指が下方側へ移動することのないように箸１の長手方向の把持部３の下方位置に膨出部を形成し、把持する機能を優先している。【選択図】図１
0003156380.tif 000002
【実用新案登録請求の範囲】
【請求項１】
手指による把持部を断面円形状、楕円形状或いは四角形以上の多角形形状とし、先端部側の所定長を断面三角形状となるほぼ三角柱形状としたことを特徴とする箸。
【請求項２】
三角柱形状を形成する各面に箸の長手方向に沿って溝を形成し、該溝により三角柱形状の各頂部を鋭角状としたことを特徴とする請求項１記載の箸。
【考案の詳細な説明】
【技術分野】
【０００１】
本考案は、箸により食べ物を掴むとき、当該食べ物を掴み易い形状とした箸に関するものである。
【背景技術】
【０００２】
箸は、竹・柳・杉・檜・萩・栗・桑・槐・紫檀・黒檀等の木材の他、金・銀・銅・鉄・アルミニウム等の金属、象牙等の動物の骨角、或いは合成樹脂等の様々な材料によって形成されている。長さは、その使用者や使用目的により適宜なものが採用されているが、通常２１ｃｍ（７寸）から３６ｃｍ（１尺２寸）等の各種のものが使用されている。また、その形状は、丸形・角形・太形・細形・先細形・平形等の様々なものがある。
【０００３】
下記する文献は、三角柱形状をした箸を開示しているが、該箸が手指による把持部を含め全体が三角柱形状をしていると同時に、内部が貫通したストロー機能を有するものであり、手指による把持がしにくく、箸としての加工も困難なものであった。また、形状に変化がなく美しいものではなかった。
【先行技術文献】
【特許文献】
【０００４】
【特許文献１】特開２００５−４６２３７号公報
【考案の概要】
【考案が解決しようとする課題】
【０００５】
既存の箸は、日本国ばかりでなく、韓国或いは中国においても広く使用されており、その形状はほとんど同じようなものとなっている。しかし、近年、外国において自国以外の様々な食ベ物を口にする機会が増えている。それに伴い、これからの箸は、伝統的な形状を保持しつつ、食べ物の種類や箸の材質等により従来の形状とは異なるものが求められている。
【０００６】
また、上記食ベ物の種類にも様々なものがあり、例えば、軽い、重い、軟らかい、硬い、薄い、厚い、小さい、大きい、長い、短い等に分けることができるが、食ベ物の種類によっては箸により掴みにくいものも多かった。
【０００７】
更に、上記文献のように、全体が三角柱形状をした箸はあるが、その目的は収納保管を簡単とし、材料の使用量を減少させることにより使い捨てを可能とするものであり、手指による把持や食べ物の掴みを良好とすることを意図するものではなかった。
【０００８】
本考案は、上記欠点を解決したもので、把持し易く、且つ様々な食ベ物を掴み易くするために箸の先端側の形状を三角柱形状とすることにより鋭角状の突起を生じさせて食べ物に食い込むようにしたものである。
【課題を解決するための手段】
【０００９】
本考案は、手指による把持部を断面円形状、楕円形状或いは四角形以上の多角形形状とし、先端部側の所定長を断面三角形状となるほぼ三角柱形状とした箸を特徴とする。
【００１０】
また、三角柱形状を形成する各面に箸の長手方向に沿って溝を形成し、該溝により三角柱形状の各頂部を鋭角状とした箸を特徴とする。
【考案の効果】
【００１１】
本考案の箸は、その先端側に鋭角状の突起を形成したので、食べ物の把持が確実にでき、落下することを防止することが可能となった。
【図面の簡単な説明】
【００１２】
【図１】本考案の箸の先端側の斜視図。
【図２】本考案の箸の先端側の他の実施例の斜視図。
【考案を実施するための形態】
【００１３】
以下、図面を参考に本考案の実施例を説明する。
【実施例１】
【００１４】
実施例１は、図１に示すように、先端側を細くした箸１で、その先端部２の所定長を断面三角形状となるほぼ三角柱形状としたものである。断面三角形状としては、正三角形、二等辺三角形或いは不等辺三角形等の様々な形状が考えられる。箸１の全体の形状は、上記した先端部２となる食べ物を掴む機能の他に、手指による把持部３となる把持機能とを有している。
【００１５】
上記した把持部３の断面形状は、断面円形状、楕円形状或いは四角形以上の多角形形状とし、必要により手指が下方側へ移動することのないように箸１の長手方向の把持部３の下方位置に膨出部を形成し、把持する機能を優先している。他方、先端部２は、上記したように、三角柱形状とすることにより鋭角部を形成し食べ物を掴み易くしている。
【実施例２】
【００１６】
実施例２は、図２に示すように、先端側を細くした箸４で、その先端部５の所定長を断面三角形状となるようにほぼ三角柱形状としたもので、且つその各面を形成するほぼ中央部に箸４の長手方向に沿って溝６を設けたものである。該溝６を形成することにより、三角柱形状の各頂部をより鋭角状となるようにし、食べ物への食い込みを一層強くすることを可能としたものである。
【００１７】
把持部７の断面形状は、上記実施例１と同様である。
【符号の説明】
【００１８】
１、４      箸
２、５      先端部
３、７      把持部
６          溝
【図１】
0003156380.tif 000003
【図２】
0003156380.tif 000004
(57)【要約】      （修正有）【課題】積雪時に発見しやすいゴルフボールを提供する。【解決手段】白と黒とは、明るさの差がはっきりしているので、白地のゴルフボールに適当数の黒い水玉模様を施す。芝生に映える白と、雪上で映える黒を組み合わせることにより、積雪の後であっても発見が容易になる。【選択図】図１
0003156303.tif 000002
【実用新案登録請求の範囲】
【請求項１】
明るさが白と黒とは、対照的なので芝生に映える白地のゴルフボールに、積雪時に目立つ黒い水玉模様を施したことを特徴とするゴルフボール。
【考案の詳細な説明】
【技術分野】
【０００１】
本考案は、積雪時にゴルフボールを発見しやすくするために白地のゴルフボールに適当数の黒い水玉模様を施したものである。
【背景技術】
【０００２】
従来、ゴルフボール全体をオレンジや黄色に着色したものがある。
【考案の概要】
【考案が解決しようとする課題】
【０００３】
積雪の後など、これまでは、ゴルフボールの発見がとても難しかった。
【課題を解決するための手段】
【０００４】
明るさが白と黒とは、対照的なので芝生に映える白地のゴルフボールに、積雪時に目立つ黒い水玉模様を施す。
【考案の効果】
【０００５】
多少の積雪ならば白地のゴルフボールに施した適当数の黒い水玉模様により発見が容易になる。
【考案を実施するための形態】
【０００６】
以下、本考案の実施の形態について説明する。
（イ）ゴルフボールに白色の着色をする。
（ロ）適当数の黒い水玉模様を施す。
【図面の簡単な説明】
【０００７】
【図１】白地に適当数の黒い水玉模様を施した平面図である。
【符号の説明】
【０００８】
１  ゴルフボール本体
２  黒い水玉模様
【図１】
0003156303.tif 000003
(57)【要約】      （修正有）【課題】視覚的に目立つことなく長期間にわたり芳香または香りとマイナスイオンを発生させ、マイナスイオンにより消臭したうえで芳香または香りを放つようにすると共に、健康維持とリラクゼーションを可能にする下駄を提供する。【解決手段】香を発する乾燥花、液状香料又は粉末状香料等の芳香剤を布地からなる下駄鼻緒の表面または鼻緒の内容物に塗布、含浸又は充填させた。【選択図】図１
0003156307.tif 000002
【実用新案登録請求の範囲】
【請求項１】
下駄において、香を発する乾燥花、液状香料又は粉末状香料等の芳香剤を布地からなる下駄鼻緒の表面またはその内容物に塗布、含浸又は充填させ、消臭、芳香機能を付与とした下駄。
【考案の詳細な説明】
【技術分野】
【０００１】
この考案は、消臭、芳香機能を備えた下駄に関し、さらに詳しくは下駄を履く者にとって健康維持とリラクゼーションを寄与するものである。
【背景技術】
【０００２】
これまで、下駄に消臭効果を付与する事例はあったが、視覚的に目立つことなく長期間にわたり芳香または香りとマイナスイオンを発生させ、マイナスイオンにより消臭したうえで芳香または香りを放つようにすると共に、健康維持とリラクゼーションを可能にするようなものはなかった。
【考案の開示】
【考案が解決しようとする課題】
【０００３】
この考案は、視覚的に目立つことなく長期間にわたり芳香または香りとマイナスイオンを発生させ、マイナスイオンにより消臭したうえで芳香または香りを放つようにすると共に、健康維持とリラクゼーションを可能にすることを主たる目的とするものである。
【課題を解決するための手段】
【０００４】
以上の目的を達成するために、この考案は、香りを発する乾燥花、液状香料あるいは粉末状香料等の芳香剤を鼻緒または下駄のその他部位に塗布又は含浸又は充填させたものである。
【考案の効果】
【０００５】
この考案によれば、視覚的に目立つことなく長期間にわたり芳香または香りとマイナスイオンを発生させ、マイナスイオンにより消臭したうえで芳香または香りを放つようにすると共に、健康維持とリラクゼーションが可能になった。
【考案を実施するための最良の形態】
【０００６】
この考案の一実施形態を図１に示す。布地からなる下駄鼻緒の表面Ａに液状香料を塗布又は含浸させるか、または鼻緒の内側に詰められた紐等の内容物Ｂに香を発する乾燥花、粉末状香料等の芳香剤を充填させることによって、下駄に消臭、芳香を付与したものである。
【産業上の利用可能性】
【０００７】
この考案によれば、視覚的に目立つことなく長期間にわたり芳香または香りとマイナスイオンの両方を発生させ、マイナスイオンにより消臭したうえで芳香または香りを放つようにすると共に、健康維持とリラクゼーションが可能になる。
【図面の簡単な説明】
【０００８】
【図１】この考案の実施形態を示す下駄の説明図である。
【符号の説明】
【０００９】
Ａ  香料を塗布または含浸させた鼻緒の表面
Ｂ  香料を塗布または含浸させたまたは充填した鼻緒の内容物
【図１】
0003156307.tif 000003
(57)【要約】      （修正有）【課題】歩行をしながら運動ができる健康器具を提供する。【解決手段】伸縮可能な弾性体１５と弾性体と一体化した中空円錐台受け１４Ａ，１４Ｂ一対と、回転を円滑にする座板１２と回転可能な中空円錐台持手１１一対とからなり、中空円錐台受けの端側に空気調整孔１８を設け、中空円錐台持手１１一対を左右から弾性体１５を圧縮する事で弾性体１５の幅が調整でき、さらに圧縮する事で中空円錐台持手左右が合わさりフック１６で止め腰のベルト止めに装着できる事で、器具の使用、装着を繰り返しできるようにした。【選択図】図１
0003156131.tif 000002
【実用新案登録請求の範囲】
【請求項１】
伸縮可能な弾性体１５と、前記弾性体と一体化した一対の中空円錐台受け１４A・１４Bと、回転を円滑にする座板１２と、一対の回転可能な中空円錐台持手１１とからなり、前記一方の中空円錐台受けの端側に空気調節孔１８と、前記一対の中空円錐台持手１１を左右から前記弾性体１５を圧縮して止める合わせフック１６とをそなえたことを特徴とする健康器具。
【考案の詳細な説明】
【技術分野】
【０００１】
本考案は、歩行しながら全身の運動ができる健康器具に関するものである。
【背景技術】
【０００２】
従来、健康器具は室内又は施設で行われるのがほとんどであるが、部分的な訓練を目的とした小型器具は屋外でもできが歩行途中では難点があり、終われば収納にこまりじゃまになるのが難点である、また筋肉を部分的に連続して使用すると疲労が溜まりやすい欠点があった。
文献としては、複数の丸棒を手のひらで握ることで握力強化を目的とした器具。（実願２０００−９５２１）
【特許文献１】実願２０００−９５２１号公報
【考案の開示】
【考案が解決しようとする課題】
【０００３】
以上に述べた従来の健康器具の問題点は屋外、歩行途中では使用に困難があった。
使用途中に終われば収納にこまりじゃまになる、また部分的な訓練で難点があった。
このような従来の問題を解決しようとするものである。
【課題を解決するための手段】
【０００４】
伸縮可能な弾性体１５と、前記弾性体と一体化した一対の中空円錐台受け１４A・１４Bと、回転を円滑にする座板１２と、一対の回転可能な中空円錐台持手１１とからなり、前記一方の中空円錐台受けの端側に空気調節孔１８と、前記一対の中空円錐台持手１１を左右から前記弾性体１５を圧縮して止める合わせフック１６とをそなえたことを特徴とする健康器具。
【考案の効果】
【０００５】
弾性体１５に、回転可能な中空円錐台持手１１を左右から圧縮することで長さが変化し運動効果も変化する、長い幅で使用すると、第１手首に回転をつけ左右に大きく動かすことで手首、肩、腰のひねりの運動になり、短い幅で使用すると、第２手首に回転をつけ左右に小さく動かすと手首、腕の運動、又後手で使用すると手首、腕、胸、背筋が鍛えられさまざまな運動効果がえられる、
【０００６】
弾性体１５に、中空円錐台持手１１を左右から圧縮することで小型化になり、腰、ベルトに取り付けることが可能であるため歩行途中器具を使用したり止めたりが簡単におこなわれ携帯に便利である、また弾性体１５は、中空なので軽く腰にふたんが掛からず歩行にやさしい器具である。
【考案を実施するための最良の形態】
【０００７】
以下、図１〜図４を参照しながら、本実施形態の歩行しながら運動ができる健康器具について説明する。
【０００８】
伸縮可能な弾性体１５と弾性体と一体化した中空円錐台受け１４A・１４Bの上に回転を円滑にする座板１２と回転可能な中空円錐台持手１１、一対からなり中空円錐台受け１４A・１４Bの端側に弾性体の空気を調節する空気調節孔１８を設けている。図１、４参照
【０００９】
中空円錐台持手１１・１１は前後に回転できとともに弾性体１５を中空円錐台持手１１・１１の左右から圧縮でき空気調節孔１８で空気を調節することで弾性体１５の幅調節が可能となる。図２参照
【００１０】
弾性体１５を左右からさらに圧縮することで中空円錐台受け１４A・１４Bが合わさりフック１６で止めることで小型化が可能となり、ベルト止め１９によりベルトに装着できることで歩行途中でも器具の使用、装着が何度でも行える。
【００１１】
なお実施例では、弾性体は中空になっているがバネ、スポンジに置き換えても有効である。
【００１２】
図５は、本考案の歩行しながら運動ができる健康器具を使用している状態の実例図である。
【００１３】
軽量化、コストを下げるため中空円錐台持手の部分の幅を短くする、強度を確保する為、強化プラスチックを使用、持ちづらい、扱いづらいと言った事はない筈。
【図面の簡単な説明】
【００１４】
【図１】本実施形態の歩行しながら運動ができる健康器具の全体側面図である。
【図２】図１の中空円錐台を左右から圧縮した状態の全体側面図である。
【図３】図２の中空円錐台をさらに圧縮しフックで止めた状態の全体側面図である。
【図４】考案の歩行しながら運動ができる健康器具を使用している状態の実例図である。
【符号の説明】
【００１５】
１１、中空円錐台持手
１２、座板
１４、中空円錐台受け
１５、弾性体
１６、フック
１７、フック操作ボタン
１８、空気調節孔
１９、ベルト止め
２０、空気調節ボタン
【図１】
0003156131.tif 000003
【図２】
0003156131.tif 000004
【図３】
0003156131.tif 000005
【図４】
0003156131.tif 000006
(57)【要約】      （修正有）【課題】開閉が容易で安全性を高め、且つ掲示物のずれを防止する額縁を提供する。【解決手段】額縁本体１と裏蓋２を蝶番３で固定して一体化したため、開閉が容易で、且つ開閉時に誤って表面ガラスを落とす危険を防止し、安全性が高くなった。また、裏蓋２の内側に白色スポンジを貼り付けたことにより、表面ガラスと裏蓋２の間に適度の圧力が加わるため、掲示物のずれ防止に役立つ。【選択図】図１
0003156114.tif 000002
【実用新案登録請求の範囲】
【請求項１】
額縁本体と裏蓋を蝶番で固定して一体化し，裏蓋の内側に白色スポンジを貼り付けたもの，開閉が容易で開閉時の安全性を高め、且つ掲示物のずれを防止した額縁。
【考案の詳細な説明】
【技術分野】
【０００１】本考案は額縁本体と裏蓋を蝶番で固定して一体化し、且つ裏蓋の内側に白色スポンジを貼った額縁に関するものである。
【背景技術】
【０００２】一般において額縁に掲示物を挟む場合、額縁本体と裏蓋及び表面ガラスを切り離して掲示物を挟むため、その際にガラスを落とす危険があり、また中紙の圧力不足で掲示物がずれる欠点があった。
【考案の概要】
【考案が解決しようとする課題】
【０００３】額縁本体と裏蓋及び表面ガラスを切り離す作業手順により、誤って表面ガラスを落として破損し、その際にけがをする危険がある。従って額縁本体と裏蓋を蝶番で固定したことにより、従来の危険性を解決し、安全に且つ開閉が容易におこなえるものである。また中紙の替わりに裏蓋の内側に白色スポンジを貼り付けることにより、開閉作業が簡単であり、白色スポンジが表面ガラスに適度な圧力を加えることによって、掲示物がずれる欠点を解決するものである。
【課題を解決するための手段】
【０００４】本考案は額縁本体と裏蓋を蝶番で固定して一体化し、裏蓋の内側にスポンジを貼り付けることで、開閉が容易で開閉時の安全性を高め、且つ白色スポンジの圧力によって掲示物がずれる問題点を解決している。
【考案の効果】
【０００５】上述のように、本考案の蝶番付き額縁は開閉時の作業が容易に、且つ安全におこなえるうえ、掲示物のずれを防止できるものである。
【図面の簡単な説明】
【０００６】
【図１】本考案の額縁の裏側を示す平面図である。
【図２】本額縁の断面図である。
【考案を実施するための形態】
【０００７】表面ガラス面を下向きに額縁本体の蓋止めを開け、下から表面ガラスを指で押し上げて裏蓋を開閉する際、裏蓋が額縁本体と一体化しているため表面ガラスを額縁本体から落とすことなく、開閉が容易で安全である。また裏蓋の内側に白色スポンジを貼り付けているため、ガラス面と裏蓋の間に適度の圧力が加わり掲示物のずれを防止する役割をしている。
【実施例】
【０００８】以下添付図面に従って一実施例を説明する。
１は額縁本体、２は裏蓋、３は蝶番である。額縁本体１と、裏蓋２を蝶番３で固定して一体化している。また、蝶番と額縁本体は木ネジ４で、裏蓋と蝶番はリベット５で各々固定している。６は表面ガラス、７は裏蓋に貼り付けた白色スポンジ、８は蓋止め、９は補強板である。
額縁本体１の表面ガラス６部分を下向きにおき、蓋止め８を開け表面ガラスを指で下から押し上げるだけで裏蓋２の開閉が容易に、且つ安全におこなえる。また、裏蓋の内側に貼り付けた白色スポンジ７が、中紙の役割を果たすと同時に表面ガラス６と、裏蓋２の間に適度の圧力を加えているため、掲示物のずれを防止している。
【符号の説明】
【０００９】１  額縁本体
２  裏蓋
３  蝶番
４  木ネジ
５  リベット
６  表面ガラス
７  白色スポンジ
８  蓋止め
９  補強板
【図１】
0003156114.tif 000003
【図２】
0003156114.tif 000004
(57)【要約】      （修正有）【課題】円筒状のリード線を、一度できれいに、短時間で手軽に洗浄するリード線用洗浄タワシを提供する。【解決手段】開閉可能なケースに４本の棒状のタワシを配置し、その中央の空間にリード線等を設置することにより、一度に表面全体を洗浄できるように構成した。これにより、洗浄時間が短縮でき、使用者の手間を軽減することができる。【選択図】図４
0003156116.tif 000002
【実用新案登録請求の範囲】
【請求項１】
開閉可能なプラスチックケースに棒状のタワシが４個収納されており、このケースの側壁中央部分に洗浄するためのリード線等が通せる穴が開いており、かつこのケースの上面、下面に水を通すための水穴が設けられていることを特長とする、リード線用洗浄タワシ。
【考案の詳細な説明】
【技術分野】
【０００１】  本考案は、建築作業等用の電気リード線又はエアホース等の洗浄のために使用するリード線用洗浄タワシに関する。
【背景技術】
【０００２】  従来は、普通の亀の子タワシのようなタワシ又はブラシがあるが、本案のような主とし業務用に使用するためのリード線、エアホース等の長物を簡単かつ効率よく洗浄できる構造のタワシはなかった。【０００３】
【先行技術文献】
【特許文献】
【特許文献１】特開２０００−２３７１０９
【考案の概要】
【考案が解決しようとする課題】
【０００４】  以上に述べた従来のタワシでは、リード線等の円筒状の物を一度で円筒表面全体に接着できないため、一度できれいには洗浄することができない。したがって、時間や手間がかかる。【０００５】  本考案は、このような従来の洗浄方法が有していた問題を解決しようとするものであり、円筒状のリード線を、一度できれいに、短時間で手軽に洗浄することを実現することを目的とするものである。
【課題を解決するための手段】
【０００６】  本考案は上記目的を達成するために、両端面中央に洗浄すべきリード線６の通過口３があり、全体に複数個の小さな水穴４が配置された、開閉できるケース１に、回転可能な棒状のタワシ２を４本配設し、４本のタワシ２の中央の隙間に、洗浄するためのリード線等６を設置し、ケース１を閉じ、留め５をして水をかけながらリード線６を引くことによって、４本のタワシ２の隙間をタワシ２にこすれながら通過させ、リード線６に付着した汚れを簡単に効率よく洗浄できるように構成したものである。【０００７】  本考案のタワシ２が回転可能になっているのは、使用によりタワシ２の毛の一部が擦り減り、洗浄力がおちた場合、タワシ２を回転させ、新しい毛の部分をリード線６に接着させ洗浄力を上げるためであり、またリード線６を洗浄する際におちた泥や小石等がタワシ２又はケース１内に残ったものを清掃するためである。【０００８】  ケース全体に小さな水穴４を配置してあるのは、洗浄中に使用する液体（水・洗剤）をある程度ケース外に入水かつ排出するためである。
【図面の簡単な説明】
【０００９】
【図１】ケース斜視図  ケースのみの状態。
【図２】棒状タワシ１本。
【図３】ケース斜視図  棒状タワシを４本配置した状態。
【図４】ケース斜視図  タワシ、リード線を設置した状態。
【図５】ケース斜視図  タワシ、リード線を設置しケースを閉じた状態。
【符号の説明】
【００１０】１・・・・・・・プラスチックケース
２・・・・・・・棒状タワシ
３・・・・・・・リード線の通過口
４・・・・・・・水穴
５・・・・・・・留め
６・・・・・・・リード線
【図１】
0003156116.tif 000003
【図２】
0003156116.tif 000004
【図３】
0003156116.tif 000005
【図４】
0003156116.tif 000006
【図５】
0003156116.tif 000007
(57)【要約】      （修正有）【課題】タオルをマフラー等に使用し固定する場合、安全上問題のあるピン等の使用を不要とすべく、フック部を有したリボン付きスポーツタオルを提供する。【解決手段】スポーツタオルの一端に、布製でリボン状体を中心にして左右に帯状に延伸して形成したフックの両端を縫い付ける。このタオルをマフラーやベルト等に使用する時は、上記タオルのフックを縫い付けてない他の一端をループ状に折り曲げて、フック部に通すことで、上記タオルを首部や胴部に絞め付けて固定する。【選択図】図１
0003156129.tif 000002
【実用新案登録請求の範囲】
【請求項１】
タオルの一端にリボンを設け、リボンのない他端をタオルとリボンの間に通すことを特徴とするおしゃれタオル。
【考案の詳細な説明】
【技術分野】
【０００１】
おしゃれタオルの技術分野に属する
【背景技術】
【０００２】
タオルをマフラーなどに使用する場合、ピンなどのような物を使用していた。
【考案の概要】
【考案が解決しようとする課題】
【０００３】
ピンなどを使うことにより、安全性が損なわれていた。
【課題を解決するための手段】
【０００４】
タオルの一端にリボンのフックを設けることにより、安全性を高めた。
【考案の効果】
【０００５】
両手を自由に使える。
走ったとき、風が吹いたとき首から外れない。更にループの長さ調節は自由にできるようになる。
【図面の簡単な説明】
【０００６】
【図１】本考案のタオル
【図２】本考案の動作を示す。
【考案を実施するための形態】
【０００７】
タオルの他端にリボン状のフックをつけて、このフックにリボン側でないタオルの一方を通してマフラーやベルト等に使用。
【図１】
0003156129.tif 000003
【図２】
0003156129.tif 000004